(57)【要約】【課題】  自動的に垂下されて展開される背景カーテンを備えた写真撮影装置において、ユーザの好みに応じて背景カーテンが垂下される長さ、いわゆる展開長さを変更する。【解決手段】  撮影ブース内のユーザ７を撮影するカメラ２と、ユーザ７の背後に上下方向に展開されてユーザ７の背景となる背景カーテン１８ａ〜１８ｃと、背景カーテン１８ａ〜１８ｃの展開長さを調整する展開長さ調整手段とを備え、この展開長さ調整手段により、背景カーテンの展開長さを自在に調整する。【選択図】図７
2007114439.tif 000002
【特許請求の範囲】
【請求項１】
撮影ブース内のユーザを撮影する撮影手段と、前記ユーザの背後に上下方向に展開されて前記ユーザの背景となる背景手段と、前記背景手段の展開長さを調整する展開長さ調整手段とを備えることを特徴とする写真撮影装置。
【請求項２】
背景手段の展開長さを所定の値に設定する設定手段を備え、展開長さ調整手段は、前記設定手段により設定された値に基づいて前記背景手段の展開長さを調整することを特徴とする請求項１記載の写真撮影装置。
【請求項３】
ユーザから背景手段の展開長さを加減させる指示を受け付ける受付手段を備え、展開長さ調整手段は、前記受付手段により受け付けた加減指示に基づいて前記背景手段の展開長さを調整することを特徴とする請求項１または２に記載の写真撮影装置。
【請求項４】
背景手段は複数備えられており、展開長さ調整手段は、前記それぞれの背景手段の展開長さを調整することを特徴とする請求項１〜３の何れかに記載の写真撮影装置。
【請求項５】
複数の背景手段は、少なくとも二つ以上を同時に展開することが可能とされていることを特徴とする請求項４記載の写真撮影装置。
【請求項６】
撮影ブース内のユーザを撮影して、その動画像を前記ユーザに対して表示する表示手段を備え、背景手段の展開長さの調整状況が前記表示手段に表示されることを特徴とする請求項１〜５の何れかに記載の写真撮影装置。
【発明の詳細な説明】
【技術分野】
【０００１】
本発明は、写真撮影装置に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置においては、被写体であるユーザが個性的な撮影ポーズを容易に形成することができるように、撮影ブース内に、ユーザの撮影ポーズの形成を補助する椅子などの姿勢補助手段が備えられたものがある。また、ユーザをより綺麗に撮影するために、あるいは、編集画像と撮影画像との合成、例えばクロマキー合成を好適に行うために、撮影ブース内に、ユーザの背景となるカーテン等の背景手段を備えたものがある。
【０００４】
姿勢補助手段を備えたものとして、例えば特許文献１には、一部が収納し得る引出型の段差ステージが撮影ルーム内に設置されていることが開示されている。このように、段差ステージの一部が、段差ステージ内に収納自在に構成されていることで、ユーザは段差ステージを好みに応じた形態に変化させたうえで、この段差ステージを用いて好みの撮影ポーズを形成し、写真撮影に臨むことができる。
【０００５】
また、背景手段を備えたものとして、例えば特許文献２には、複数種類のスクリーンが個々にシート上に描かれ、そのシートの上端側がロール状に巻かれ、下端側を引き出すことにより、このシートが被写体の撮影時の背景となり得るように構成された映像プリント遊戯装置が開示されている。
【０００６】
このような構成によると、ユーザは、色や模様が異なる複数のスクリーンの中から撮影で使用するスクリーンを撮影ごとに選択して展開し、撮影を行うことができるので、満足のいく綺麗な写真を撮影することができる。
【０００７】
また、例えば特許文献３には、駆動手段により撮影ブースの幅方向に対して自在に展開するように構成され、それぞれが撮影方向に対して前後に位置するように配置されている３種類の背景カーテンを備えた遊戯装置が開示されている。
【０００８】
このような構成によると、ユーザが各背景カーテンを任意の量だけ展開させ、例えば第１のカーテンと第３のカーテンとをずらして配置し、背景色が２色横並びになるようにすることで、ユーザは、より個性的な写真を撮影することができる。
【０００９】
さらに、上記以外にも最近では、多種多様な背景カーテンを簡単に展開して撮影したいというユーザからの要望が強いため、背景カーテンを撮影ブースの背面に沿って駆動モータにより自動的に展開および巻き上げる（昇降させる）写真撮影装置が登場しており、このような電動式の背景カーテンを備える写真撮影装置は増加傾向にある。
【特許文献１】特開２００２−３５４２９８号公報
【特許文献２】特許第３１０９５０７号公報
【特許文献３】特開２００３−１９０００２号公報
【発明の開示】
【発明が解決しようとする課題】
【００１０】
上述したように、最近では、背景カーテンを撮影ブースの背面に沿って駆動モータにより自動的に展開および巻き上げる写真撮影装置があるが、このような写真撮影装置の場合、背景カーテンを撮影ブースの背面に沿って垂下させて展開させる長さは、所定の寸法となるようにあらかじめ設定されている。このような背景カーテンの展開長さの設定は、通常、あらかじめ最適な設定がなされており、写真撮影装置が設置されている店舗の管理者やユーザなどが設定変更できないようにされている。
【００１１】
一方、写真撮影装置の中には、特許文献１に開示されているように、撮影ブース内に、ユーザの撮影ポーズの形成を補助する椅子などの姿勢補助手段が備えられたものがあり、近年では、上述した背景カーテンを自動的に展開および巻き上げする写真撮影装置において、撮影ブース内に前記姿勢補助手段を配置して、ユーザがより満足のいく写真撮影を行えるようにしている。
【００１２】
しかしながら、このような場合、背景カーテンの展開長さはあらかじめ設定されており、撮影ブース内に配置される姿勢補助手段の位置によっては、垂下中の背景カーテンが姿勢補助手段に接触して十分に下がりきらず、背景カーテンにシワが生じてしまう。特に複数の背景カーテンを備える写真撮影装置の場合、それぞれの背景カーテンは、カメラの撮影方向に対して前後にずれた状態で配置されているため、最もカメラ側に配置されている背景カーテンは、その分、姿勢補助手段に接触しやすくなってしまう。
【００１３】
上記のように背景カーテンにシワが生じてしまうと、ユーザが綺麗な写真を撮影することができなくなり、さらには撮影画像と編集画像との合成処理、例えばクロマキー合成を好適に行えなくなるといった問題が生じる。
【００１４】
また、特許文献３に開示されているような、駆動手段により撮影ブースの幅方向に対して自在に展開する複数の背景カーテンを備えた場合、背景カーテンを撮影ブースの幅方向に対して自在に展開させることは、複雑な機構が必要となり、必然的に部品点数の増加につながり、コスト高を招くことになる。
【００１５】
そこで本発明はこのような問題を解決して、背景手段を備えた写真撮影装置において、ユーザの好みに応じて背景手段の展開長さを変更することを目的とする。
【課題を解決するための手段】
【００１６】
上記課題を解決するために請求項１記載の発明は、撮影ブース内のユーザを撮影する撮影手段と、前記ユーザの背後に上下方向に展開されて前記ユーザの背景となる背景手段と、前記背景手段の展開長さを調整する展開長さ調整手段とを備えるものである。
【００１７】
このような構成によると、例えば、撮影ブース内に、ユーザの撮影ポーズの形成を補助する椅子などの姿勢補助手段が配置されている場合であっても、展開長さ調整手段により、背景手段の展開長さを調整することができる。したがって、垂下される背景手段が姿勢補助手段に接触しないようにすることができ、背景手段にシワが生じることを防止して、美しい写真を撮影することができる。また、このように背景手段にシワが生じることを防止することで、例えばクロマキー合成といった、撮影画像と編集画像との合成処理を好適に行うことができる。また、背景手段を上下方向に展開させることで、例えば背景手段を撮影ブースの幅方向に対して自在に展開させる機構を用いる場合に比べて、複雑な機構を備える必要が無く、その分、部品点数も減るのでコストの低減を図ることができる。
【００１８】
請求項２記載の発明は、請求項１記載の写真撮影装置において、背景手段の展開長さを所定の値に設定する設定手段を備え、展開長さ調整手段は、前記設定手段により設定された値に基づいて前記背景手段の展開長さを調整するものである。
【００１９】
このような構成によると、設定手段により、背景手段の展開長さを所定の値に設定することができ、展開長さ調整手段により、この設定値に基づいて背景手段の展開長さを調整することができるので、背景手段の展開長さを好みに応じて容易に変更することができる。また、設定手段により、背景手段の展開長さを所定の値に設定しておけば、写真撮影装置を使用するたびに、背景手段の展開長さをいちいち設定する必要が無い。
【００２０】
請求項３記載の発明は、請求項１または２記載の写真撮影装置において、ユーザから背景手段の展開長さを加減させる指示を受け付ける受付手段を備え、展開長さ調整手段は、前記受付手段により受け付けた加減指示に基づいて前記背景手段の展開長さを調整するものである。
【００２１】
このような構成によると、ユーザは、背景手段の展開長さを随時加減することができ、背景手段を好みの展開長さに調整したうえで写真を撮影することができる。
【００２２】
請求項４記載の発明は、請求項１〜３の何れかに記載の写真撮影装置において、背景手段は複数備えられており、展開長さ調整手段は、前記それぞれの背景手段の展開長さを調整するものである。
【００２３】
このような構成によると、複数の背景手段を備えていることで、ユーザは背景手段の選択の幅が広まり、より好みに応じた背景手段を選択して写真撮影を行うことができる。また、展開長さ調整手段は、それぞれの背景手段の展開長さを個別に調整するので、背景手段が設けられている位置等に応じて、それぞれの背景手段を、最適な展開長さに設定することができる。
【００２４】
請求項５記載の発明は、請求項４記載の写真撮影装置において、複数の背景手段は、少なくとも二つ以上を同時に展開することが可能とされているものである。
【００２５】
このような構成によると、ユーザが各背景手段を任意の量だけ展開させ、例えば第１の背景手段と第２の背景手段とを上下にずらして配置し、背景色が２色縦並びになるように展開することで、ユーザは、より個性的な写真を撮影することができる。また、例えば、ユーザの服の色と背景手段の色とが同一であるときには、クロマキー合成を好適に行うことが難しいが、このようなときに、所定の背景手段の展開長さを必要に応じて調整することができるので、服と同じ色の背景手段が、ユーザの服に重ならないようにすることができ、したがって、背景手段の色およびユーザの服の色に関係なくクロマキー合成を好適に行うことができる。
【００２６】
請求項６記載の発明は、請求項１〜５の何れかに記載の写真撮影装置において、撮影ブース内のユーザを撮影して、その動画像を前記ユーザに対して表示する表示手段を備え、背景手段の展開長さの調整状況が前記表示手段に表示されるものである。
【００２７】
このような構成によると、表示手段に、ユーザおよび背景手段の動画像が表示されるので、ユーザは、前記表示手段を見て、実際の背景手段の展開長さを確認しながら、背景手段の展開長さの調整を簡単に行うことができる。
【発明の効果】
【００２８】
以上のように本発明によれば、背景手段を備えた写真撮影装置において、ユーザの好みに応じて背景手段の展開長さを変更することができる。
【発明を実施するための最良の形態】
【００２９】
（実施の形態１）
本発明の実施の形態１の写真撮影装置１を、図１〜図１３を参照しながら説明する。
【００３０】
（外観構成）
まず、写真撮影装置１の外観構成から説明する。図１は、本発明の実施の形態１の写真撮影装置１の側面図、図２は、写真撮影装置１におけるカーテンユニット１８の拡大図である。
【００３１】
図１に示すように、写真撮影装置１は、被写体を撮影する撮影手段であるカメラ２を備えるとともに種々の処理および制御を行う機器を備える撮影側筐体３と、この撮影側筐体３におけるカメラ２と対向する位置に距離を置いて設けられている背景ユニット４と、撮影側筐体３と背景ユニット４の上部に左右一対の天井フレーム５が架設されて形成される撮影ブース６内に設けられ、被写体であるユーザ７の撮影ポーズの形成を補助する門型のはしご８および移動可能な可動椅子９と、撮影側筐体３の背面に隣接して設けられている編集側筐体１０とを備える。
【００３２】
撮影側筐体３における背景ユニット４に対向する側の面には、カメラ２のほか、カメラ２が現在撮影している画像をユーザ７に対してリアルタイムで表示する表示手段としてのライブモニタ３５（図３参照）と、ユーザ７からの操作入力を受け付けるとともにデモ画面や撮影操作の手順等をユーザ７に対して表示するタッチパネルディスプレイ１１（図３参照）と、撮影時にユーザ７を照射するための複数のストロボ１２（図３参照）と、コインを投入するためのコイン投入口と、撮影操作時に音声案内やＢＧＭを出力する撮影側スピーカ１３（図３参照）とが設けられている。
【００３３】
さらに、この撮影側筐体３の外部における一方の側面にはプリント取出口１５が設けられ、このプリント取出口１５からは、撮影画像と編集入力した画像とを合成した印刷用画像（編集画像を入力しなかった場合には撮影画像）が撮影側筐体３の内部に収納されたプリンタ１６（図３参照）によってシールシート１７（図３参照）などの印刷媒体に印刷されたものが排出される。
【００３４】
背景ユニット４の上部には、撮影時に上下方向に展開されてユーザ７の背景となる複数種類、ここでは３種類の背景手段としての背景カーテン１８ａ〜１８ｃを備えたカーテンユニット１８が設けられている。背景カーテン１８ａ〜１８ｃは、未使用時にはカーテンユニット１８内に巻き取られた状態で収納されている。背景カーテン１８ａ〜１８ｃの巻回軸１９ａ〜１９ｃ（図２参照）には、これらの巻回軸１９ａ〜１９ｃを個別に正方向・逆方向に電動で回転させ、これにより背景カーテン１８ａ〜１８ｃを垂下して展開させたり巻き上げたりする駆動モータ１４（図３参照）が取り付けられている。この駆動モータ１４は、ユーザ７からのタッチパネルディスプレイ１１への操作を介して指定された背景カーテン１８ａ〜１８ｃのうちのいずれかを、背景ユニット４の壁面に沿って垂下させて展開する。
【００３５】
一方、編集側筐体１０には、撮影ブース６において撮影した画像を表示して付属のタッチペン１９によりユーザ７からの編集入力を受け付けるタブレットディスプレイ２０と、編集入力操作時に音声案内やＢＧＭを出力する編集側スピーカ２１（図３参照）とが設けられている。なお、図中においては現れていないが、編集側筐体１０の反対側にも、タッチペン、タブレットディスプレイ、編集側スピーカが設けられており、異なる２組のユーザが、それぞれが撮影した画像に対して同時に編集処理を行うことが可能とされている。また、図１における２２は、撮影ブース６とは異なる箇所に設けられて、ユーザ７が、撮影された画像に対して編集処理を行う編集ブースである。したがって、本実施の形態の写真撮影装置１は、一つの撮影ブース６と二つの編集ブース２２とを備える三重接客方式を採用している。なお、上記の撮影ブース６および編集ブース２２の周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００３６】
上記の写真撮影装置１は、ユーザ７からのニーズに対応すべくさまざまな機能、例えば音声案内機能、ストロボ照射光の変更機能などを備えている。これらさまざまの機能を実現するための機能構成を、図３を参照しながら説明する。図３は、写真撮影装置１の機能構成を示すブロック図である。
【００３７】
（機能構成）
図３に示すように、写真撮影装置１は、カメラ２による撮影およびカメラ２によって撮影した画像の転送など、撮影側の処理を実行する撮影用コンピュータ装置２３ａと、編集処理時にユーザ７からタブレットディスプレイ２０に入力された内容をこのタブレットディスプレイ２０に表示するとともに、入力に基づいて編集入力する画像の作成、描画などを行う編集に関する処理やプリンタ１６の印刷に関する処理を実行する画像編集用コンピュータ装置２３ｂと、動作中のコンピュータ装置２３ａ、２３ｂからの指示を受け付けて、接続されている各種装置を制御する制御基板２４とを備える。この撮影用コンピュータ装置２３ａと画像編集用コンピュータ装置２３ｂとは互いに接続され、画像データなどの授受をピアツーピアで行う。
【００３８】
コンピュータ装置２３ａ、２３ｂは、ＣＰＵ(Ｃｅｎｔｒａｌ  Ｐｒｏｃｅｓｓｉｎｇ  Ｕｎｉｔ)２５ａ、２５ｂと、写真撮影装置１に所定の処理を実行させるためのプログラム、種々の処理に必要なグラフィックデータ、音声データ、撮影画像、編集入力する画像などを記憶するハードディスクドライブ（ＨＤＤ）２６ａ、２６ｂと、プログラムの一時的な作業領域となるメモリ２７ａ、２７ｂとを有する。
【００３９】
撮影用コンピュータ装置２３ａは、撮影ブース６での撮影側の処理を実行する。具体的には、内部のＨＤＤ２６ａに記憶された撮影側の処理のプログラムを実行して、ユーザ７からタッチパネルディスプレイ１１を介して受け付けた入力操作に基づく指示信号に従って制御基板２４に対して制御信号を送信する。また、撮影用コンピュータ装置２３ａは、カメラ２、タッチパネルディスプレイ１１、制御基板２４と電気的に接続され、それらを制御する。さらに、撮影用コンピュータ装置２３ａは、詳細は後述するが、背景カーテン１８ａ〜１８ｃの展開長さを設定する際の設定手段としての機能を有するとともに、カーテンユニット１８における駆動モータ１４を制御して、この駆動モータ１４を正方向・逆方向に駆動させる展開長さ調整手段としての機能を有する。
【００４０】
画像編集用コンピュータ装置２３ｂは、編集ブース２２での編集入力等の処理および撮影側筐体３内に収納されているプリンタ１６の印刷処理を実行する。具体的には、画像編集用コンピュータ装置２３ｂは、タブレットディスプレイ２０に対してユーザ７が行うタッチペン１９による入力に応じて制御信号を制御基板２４に送信する。この画像編集用コンピュータ装置２３ｂは、プリンタ１６、タブレットディスプレイ２０、制御基板２４に電気的に接続され、それらを制御する。
【００４１】
プリンタ１６は、撮影画像と、撮影画像に対して編集処理により入力された画像とを合成した印刷用画像をシールシート１７などの印刷媒体に印刷する。本実施の形態１では、プリンタ１６が印刷用画像をシールシート１７に印刷する場合を説明するが、印刷媒体はシールシートに限定されず、他の印刷媒体でもよい。
【００４２】
撮影側筐体３に設けられているタッチパネルディスプレイ１１は、ユーザ７の指等の接触を検知し、その位置に応じた指示信号を撮影用コンピュータ装置２３ａに送信する。このタッチパネルディスプレイ１１は、撮影用コンピュータ装置２３ａから送信された画像、具体的には、カメラ２で撮像された画像、撮影のための案内、選択肢などをユーザ７に対して表示する。
【００４３】
タブレットディスプレイ２０は、付属の左右のタッチペン１９におけるペン先の接触を検知し、その位置に応じた指示信号を画像編集用コンピュータ装置２３ｂに送信する。このタブレットディスプレイ２０は、画像編集用コンピュータ装置２３ｂから送信された画像、具体的には、編集処理時にユーザ７により描画されたペン画像、スタンプ画像、フレーム画像、背景画像などの編集画像を、表示している撮影画像の上に重ねて表示する。
【００４４】
制御基板２４は、コンピュータ装置２３ａ、２３ｂの他に、ストロボ制御部２８、撮影ブース６や編集ブース２２に設けられている蛍光灯２９、サービスパネル３０、印刷中ＬＥＤ３１、印刷エラーＬＥＤ３２、コイン制御部３３、カーテンユニット１８および音声制御部３４に接続され、それぞれを所定の設定に従って制御する。
【００４５】
ストロボ制御部２８は、カメラ２およびストロボ１２に接続され、カメラ２のシャッタタイミングに応じて発光するようにストロボ１２を制御する。
【００４６】
コイン制御部３３は、コイン投入口に投入されたコインの正当性を検出し、制御基板２４にコインが投入されたことを示す検出信号を送信する。このとき、制御基盤２４は、撮影用コンピュータ装置２３ａあるいは画像編集用コンピュータ装置２３ｂから受信した制御信号（指示コマンドなど）にしたがって、コイン制御部３３に対して制御信号を送信する。所定枚数のコインが投入されると、コイン制御部３３は制御信号にしたがって、新たにコインが投入されないようにコイン投入口をブロックするか、コイン投入口に投入されたコインをコイン返却口から排出する。コイン制御部３３は、前者の場合はコインブロッカーとして機能し、後者の場合はコインキャンセラーとして機能する。所定枚数のコインが投入された場合等においては、前述のいずれかの方法でユーザ７からのコインの投入を受け付けないようにする。
【００４７】
サービスパネル３０は、投入されたコインの枚数をカウントするコインカウンタ、印刷されたプリントの枚数をカウントするプリントカウンタ、撮影側スピーカ１３、編集側スピーカ２１から出力する音声のボリュームを調整する音量調整つまみ、後述するテストモードを行うためのテストボタン、コインを投入しなくても装置が利用できるようにするためのサービスボタン等を備えるパネルであり、写真撮影装置１が設置される店舗などの管理人が各種設定やメンテナンスの操作を行う際に用いる。サービスパネル３０は、テストボタンの操作などが行われると、その操作にしたがった制御信号を制御基板２４に対して送信したり、所定の指示信号をコンピュータ装置２３ａ、２３ｂに送信したりする。
【００４８】
また、制御基板２４は、撮影用コンピュータ装置２３ａあるいは画像編集用コンピュータ装置２３ｂから受信した制御信号（指示コマンドなど）にしたがって、サービスパネル３０に対して制御信号を送信する。サービスパネル３０は、この制御信号に従って、コインカウンタやプリントカウンタを動作させる（たとえばカウンタを１インクリメントする）。
【００４９】
音声制御部３４は制御基板２４を介して撮影用コンピュータ装置２３ａおよび画像編集用コンピュータ装置２３ｂに接続されている。撮影用スピーカ１３は、撮影ブース６に配備され、撮影用コンピュータ装置２３ａから制御基板２４および音声制御部３４を介して与えられる指示信号に基づいて、撮影のための操作方法などの案内やＢＧＭなどを出力する。編集用スピーカ２１は、編集ブース２２に配備され、画像編集用コンピュータ装置２３ｂから制御基板２４および音声制御部３４を介して与えられる指示信号に基づいて、編集のための操作方法などの案内やＢＧＭなどを出力する。
【００５０】
以上のような構成において、ユーザ７は、撮影ブース６内において、タッチパネルディスプレイ１１を介して好みの背景カーテン１８ａ〜１８ｃを選択し、選択された背景カーテン１８ａ〜１８ｃを撮影ブース６の壁面に沿って垂下させたうえで、はしご８や可動椅子９を利用するなどして好みの撮影ポーズを形成して写真撮影を行う。
【００５１】
上記のようにして、撮影を行ったユーザ７は、撮影した画像が表示される編集ブース２２に移動し、タッチペン１９を用いて、撮影画像が表示されるタブレットディスプレイ２０に編集入力を行う。そして、編集入力が終わると、クロマキー合成が行われて生成された印刷用画像がシールシート１７に印刷されて排出されるプリント取出口１５に移動し、出力されるシールシート１７を取得して写真撮影装置１の利用を終了する。
【００５２】
ここで、撮影用コンピュータ装置２３ａが有する展開長さ調整手段としての機能により、垂下させる背景カーテン１８ａ〜１８ｃの展開長さを調整する処理について、図４および図５を参照しながら説明する。なお、展開長さとは、図１や図９に示すように、背景カーテン１８ａ〜１８ｃにおける、カーテンユニット１８の開口部から下端部までの寸法である。
【００５３】
まず、撮影ブース６における撮影側の処理は、撮影用コンピュータ装置２３ａにおけるＣＰＵ２５ａがＨＤＤ２６ａに記憶された動作プログラムをメモリ２７ａに読出して実行することで実現される。
【００５４】
この撮影側の処理は、図４に示すように、はじめに、写真撮影装置１に電源が投入されると、撮影用コンピュータ装置２３ａ、画像編集用コンピュータ装置２３ｂのＨＤＤ２６ａ、２６ｂに格納された動作プログラムが起動する。ＣＰＵ２５ａ、２５ｂは、各種機器が正常に接続されているかチェックし、初期化が必要な機器に対しては初期化を行う（Ｓ１１）。
【００５５】
初期化処理時に、コイン制御部３３がコイン投入口をロックするように作動している場合は、ＣＰＵ２５ａはロックを解除する制御信号を送出し、ロックを解除する。そしてコイン投入を可能にする（Ｓ１２）。なお、コイン投入口に投入されたコインをコイン返却口から排出するようにされている場合には、ＣＰＵ２５ａはコインを排出する状態を解除する制御信号を送出し、コイン投入を可能にする。
【００５６】
次にＣＰＵ２５ａは、写真撮影装置１の利用を促すタイトルデモ画面を撮影ブース６におけるタッチパネルディスプレイ１１に表示し（Ｓ１３）、その間にコイン制御部３３において対価であるコインの投入を監視する（Ｓ１４）。
【００５７】
コインが投入されておらず（Ｓ１４でＮＯ）、「テストボタン」が押された場合（Ｓ１５でＹＥＳ）には、ＣＰＵ２５ａはテストモードプログラムを実行（Ｓ１６）し、「テストボタン」が押されていない場合（Ｓ１５でＮＯ）には、処理をＳ１４に戻す。
【００５８】
このテストモードにおいて、背景カーテン１８ａ〜１８ｃの展開長さが、撮影用コンピュータ装置２３ａが有する設定手段としての機能により設定または調整される。詳細には、まず、図５に示すように、テストモードメインメニュー画面（図６参照）を表示し（Ｓ４１）、「デモに戻る」ボタンが押されたかを判断する（Ｓ４２）。「デモに戻る」ボタンが押された場合（Ｓ４２でＹＥＳ）には、テストモードを終了すべく、処理を図４に示す撮影側処理のＳ１３に戻し、「デモに戻る」ボタンが押されなかった場合（Ｓ４２でＮＯ）には、次に、背景カーテン１８ａ〜１８ｃの展開長さを設定するための「背景カーテン設定メニューへ」が選択されたかを判断し（Ｓ４３）、選択されていない場合（Ｓ４３でＮＯ）には、例えば撮影関連テストメニューなど、他のメニューが選択されかを判断する（Ｓ４４）。Ｓ４４において、他のメニューも選択されていないと判断した場合（Ｓ４４でＮＯ）には、処理をＳ４２に戻す。また、Ｓ４４において、他のメニューが選択されたと判断した場合（Ｓ４４でＹＥＳ）には、選択されたメニューに対応した設定や処理を行い（Ｓ４５）、処理をＳ４１に戻す。
【００５９】
Ｓ４３において、「背景カーテン設定メニューへ」が選択された場合（Ｓ４３でＹＥＳ）には、背景カーテン設定画面（図７参照）を表示する（Ｓ４６）。そして、写真撮影装置１が設置される店舗の管理人は、背景カーテン１８ａ〜１８ｃのそれぞれを撮影ブース６の壁面に沿って垂下させる量、すなわち背景カーテン１８ａ〜１８ｃの展開長さを、撮影用コンピュータ装置２３ａが有する設定手段としての機能により設定する。ここで、例えば前記管理人は、可動椅子９の床からの高さを勘案して、垂下される背景カーテン１８ａ〜１８ｃの下端部が可動椅子９の最上部９ａに接触しない程度の展開長さを、例えば８００〔ｍｍ〕というように設定する。このような設定が行われることで背景カーテン１８ａ〜１８ｃのいずれが選択された場合でも、選択されて垂下される背景カーテン１８ａ〜１８ｃの展開長さは８００〔ｍｍ〕となる。
【００６０】
そして、「設定を終了してメインメニューへ戻る」ボタンが選択されたかを判断し（Ｓ４７）、選択されない場合（Ｓ４７でＮＯ）には、Ｓ４７の処理を続け、選択された場合（Ｓ４７でＹＥＳ）には、入力された背景カーテン１８ａ〜１８ｃの展開長さを保存して（Ｓ４８）、この設定値を背景カーテン１８ａ〜１８ｃの展開長さに反映できるように適用する。そして、処理をＳ４１に戻す。ちなみに、図７に示す画面において、背景カーテン１８ａ〜１８ｃの展開長さの設定がなされなかった場合には、初期設定されている展開長さ、例えば１１００〔ｍｍ〕が適用される。なお、この背景カーテン設定画面においては、図７に示すように、現在の設定されている展開長さがどの程度であるのかを示すイラストまたは図を画面の中央に表示することで、設定しようとする管理者に対して、現在の設定値を容易に把握させることができる。
【００６１】
また、このような、背景カーテンの展開長さを設定する機能を応用して、背景カーテン１８ａ〜１８ｃごとの展開長さを個別に設定できるようにしてもよい。具体的には、例えば、それぞれの背景カーテン１８ａ〜１８ｃとカメラ２との距離は微妙に異なり、カメラ２の画角、すなわち撮影範囲との関係で、それぞれの背景カーテン１８ａ〜１８ｃの展開長さを同一に設定する必要は無い。したがって、このような場合には、背景カーテン１８ａ〜１８ｃの展開長さの設定を、図８に示すように、背景カーテン１８ａ〜１８ｃごとに行うことができる。
【００６２】
説明を図５のフローに戻して、Ｓ４８の処理の終了後、処理をＳ４１に戻してメニュー画面を表示し、Ｓ４２において「デモに戻る」ボタンが押される（Ｓ４２でＹＥＳ）と、テストモードを終了して、処理を図４に示す撮影側処理のＳ１３に戻す。
【００６３】
図４に戻って、Ｓ１３においてタイトルデモ画面を表示し、Ｓ１４において、所定の枚数のコインが、ユーザにより投入されたと判断する（Ｓ１４でＹＥＳ）と、これ以上のコインが過剰に投入されないように、コイン投入口をロック（Ｓ１７）、または、コイン投入口に投入されたコインをコイン返却口から排出するようにして、コインの投入を受け付けないようにする。
【００６４】
そして、ＣＰＵ２５ａは撮影を開始し（Ｓ１８）、所定回数の撮影が行われるまで撮影を続け（Ｓ１９）、所定回数の撮影を終えると（Ｓ１９でＹＥＳ）、撮影した画像を画像編集用コンピュータ装置２３ｂに転送し（Ｓ２０）、処理をＳ１２に戻してコインロックを解除し、Ｓ１３でタイトルデモ画面を表示して、新たなユーザの利用を待つ。このとき、撮影を終えたユーザ７は撮影側の処理、すなわち撮影プレイが終了したことになるので、撮影ブース６を出て、次の編集側の処理、すなわち編集プレイを行うべく、所定の編集ブース２２に移動し、編集プレイを開始する。なお、ここでは撮影回数を制限しているが、撮影時間を制限するようにしてもよい。また、所定回数撮影した後にまだ制限時間が残っている場合や、編集ブース２２で先のユーザがまだ編集プレイをしている場合には、それらが終了するまで撮影プレイを続行できるようにしてもよいし、撮影ブース６内において待機させるように案内してもよい。
【００６５】
ここで、上記のように、管理者により、背景カーテン１８ａ〜１８ｃの展開長さが、例えば８００〔ｍｍ〕に設定されていると、撮影用コンピュータ装置２３ａが有する展開長さ調整手段としての機能により、駆動モータ１４が所定のタイミングで停止されるので、ユーザ７から指定された背景カーテン１８ａ〜１８ｃは、図９および図１０に示すように、その下端部が８００〔ｍｍ〕だけ降下した位置、すなわち可動椅子９の最上部９ａに接触しない位置で、垂下動作が停止する。
【００６６】
以上のようにすることで、例えば、撮影ブース６内に、可動椅子９が備えられている場合であっても、撮影用コンピュータ装置２３ａが展開長さ調整手段としての機能を備えており、この機能により、駆動モータ１４の回転を制御して、背景カーテン１８ａ〜１８ｃの展開長さを調整することができる。したがって、降下する背景カーテン１８ａ〜１８ｃの下端部が可動椅子９の最上部９ａに接触しないようにして、背景カーテン１８ａ〜１８ｃにシワが生じないようにすることができる。これにより、ユーザ７は、背景の美しい写真を撮影することができる。また、このように背景カーテン１８ａ〜１８ｃにシワが生じることを防止することで、例えばクロマキー合成といった、撮影画像と編集画像との合成処理を好適に行うことができる。
【００６７】
なお、上記において、撮影側の処理以降の処理である編集側の処理および印刷処理の詳細については、写真撮影装置の分野において既に公知であるので、本実施の形態１においては説明を省略する。また、上記においては、背景カーテン１８ａ〜１８ｃの展開長さの設定をテストモードにて行う場合を説明したが、これに限らず、例えば撮影側筐体３などに展開長さを設定するためのボタンを設け、このボタンを操作することで、テストモードを経由せずとも展開長さの設定を行うことができるようにしてもよい。
【００６８】
（実施の形態２）
次に、本発明の写真撮影装置１の実施の形態２を説明する。実施の形態１では、背景カーテン１８ａ〜１８ｃのうちの何れか一つが撮影ブース６の壁面に沿って垂下する場合を説明したが、実施の形態２においては、複数の背景カーテン１８ａ〜１８ｃを同時に展開させて使用することができ、かつ、ユーザ７が、それぞれの背景カーテン１８ａ〜１８ｃの展開長さを個別に設定できる場合を説明する。なお、実施の形態２において説明する写真撮影装置は、実施の形態１で説明した写真撮影装置１と外観構成および機能構成が同様であるため、実施の形態１で説明したものと同様のものには、同符号を付すことで詳細な説明は省略する。
【００６９】
実施の形態２の写真撮影装置１において、ユーザ７が撮影プレイ中に、それぞれの背景カーテン１８ａ〜１８ｃの展開長さを個別に設定することについて、図１１を参照しながら説明する。なお、図１１に示すフローにおいて、Ｓ１１〜Ｓ１７の処理は実施の形態１と同様であるので説明は省略し、以下では、図１１に示すＳ１７以降の処理を説明する。なお、Ｓ１６のテストモード設定においては、背景カーテンの設定に関する処理（図５におけるＳ４３、Ｓ４６〜Ｓ４８）は行われない。すなわち、実施の形態２においては、図５に示すＳ４１において表示されるメニュー画面（図６参照）のうち、「背景カーテン設定メニューへ」の項目ボタンは表示されない。
【００７０】
図１１に示すように、Ｓ１７においてコインロックがなされると、撮影プレイが開始され、タッチパネルディスプレイ１１に、図１２に示すような、使用する背景カーテンの色を選択させる画面を表示する（Ｓ９９）。図１２には、例として、背景カーテン１８ａ〜１８ｃのそれぞれに対応する赤、黄、青の三色の背景カーテンが表示されている。
【００７１】
そして、所定の背景色が選択されるのを待ち（Ｓ１００）、背景色（使用する背景カーテン）が決定する（Ｓ１００でＹＥＳ）と、次に、背景の分割パターンを選択させる画面を表示する（Ｓ１０１）。例えば図１２において、背景色として赤と青の背景カーテンが選択された場合には、上記選択画面として、図１３に示すような画面が表示される。図１３において、パターン１は、赤色の配分が四分の一で青色の配分が四分の三の場合であり、パターン２は、赤色と青色の配分が等しい場合であり、パターン３は、赤色の配分が四分の三で青色の配分が四分の一の場合である。このように、あらかじめ、背景パターンを大きく三つに分けておき、それらを表示することで、ユーザ７に対して、希望に近い背景パターンを選択させることができ、これにより、ユーザ７は、より短い時間で、希望に近い背景パターンをセットすることができる。なお、Ｓ９９において、３枚の背景カーテン１８ａ〜１８ｃが選択された場合には、図１５に示した、一組の上下位置変更ボタン３６ａ、３６ｂにより、背景カーテン１８ａおよび１８ｂの展開長さを同時に同じ変化量だけ変更できるようにしてもよいし、図示は省略するが、図１５に示した上下位置変更ボタン３６ａ、３６ｂを二組、タッチパネルディスプレイ１１に表示し、それぞれの上下位置変更ボタン３６ａ、３６ｂにより、背景カーテン１８ａ、１８ｂの展開長さを個別に変更できるようにしてもよい。
【００７２】
説明を図１１のフローに戻して、Ｓ１０１において、背景の分割パターンを選択させる画面を表示すると、次に、所定の背景パターンが選択されたかを判断し（Ｓ１０２）、所定の背景パターンが選択された場合（Ｓ１０２でＹＥＳ）には、選択された背景パターンに応じて、実際に背景カーテンを展開させる（Ｓ１０３）。なお、撮影プレイが開始されると、ライブモニタ３５には、常時、カメラ２が撮影している動画像が表示されており、ユーザ７は、このライブモニタ３５に表示されている動画像を見ることで、選択した背景パターンが実際にはどのようなものであるのかを確認することができる。
【００７３】
そして、Ｓ１０３において背景カーテンの展開を行うと、次に、タッチパネルディスプレイ１１に、図１４および図１５に示すような「少しうえ」、「少しした」といった、背景カーテン１８ａ、１８ｃの展開長さを加減するための上下位置変更ボタン３６ａ、３６ｂを表示する（Ｓ１０４）。なお、図１５は、タッチパネルディスプレイ１１に表示される画面を示している。
【００７４】
Ｓ１０４において、タッチパネルディスプレイ１１に上下位置変更ボタン３６ａ、３６ｂを表示すると、次は、上下位置変更ボタンが押されたかを監視する（Ｓ１０５）。このとき、タッチパネルディスプレイ１１は、上下位置調整ボタン３６ａまたは３６ｂにより入力された展開長さの加減指示を受け付ける受付手段となる。なお、この操作に関する詳細は後述する。
【００７５】
Ｓ１０５において、上下位置変更ボタン３６ａまたは３６ｂが押されていない場合（Ｓ１０５でＮＯ）には、「設定終了」ボタンが押されたかを判断する（Ｓ１０６）。Ｓ１０６において、「設定終了」ボタンが押されていないと判断した場合（Ｓ１０６でＮＯ）には、処理をＳ１０５に戻し、「設定終了」ボタンが押されたと判断した場合（Ｓ１０６でＹＥＳ）には、背景カーテンの展開長さの設定に関する処理を終え、次に、Ｓ１８以降の処理を行う。なお、Ｓ１８以降の処理については実施の形態１と同様であるので、説明は省略する。
【００７６】
一方、Ｓ１０５において、上下位置変更ボタン３６ａまたは３６ｂが押されたと判断した場合（Ｓ１０５でＹＥＳ）には、押下された上下位置変更ボタンに基づいて、背景カーテンの展開長さを調整すべく、制御基板２４に制御信号を送り（Ｓ１０７）、撮影用コンピュータ装置２３ａが備える展開長さ調整手段としての機能により、背景カーテン１８ａの巻回軸１９ａに取り付けられている駆動モータ１４の回転を制御し、この巻回軸１９ａを正方向あるいは逆方向に回転させることで、背景カーテン１８ａの展開長さをリアルタイムで調整する。そして、処理をＳ１０４に戻す。なお、このとき上述したように、ライブモニタ３５には、ユーザ７および背景カーテン１８ａ、１８ｃのライブ画像が表示されており、ユーザ７は、ライブモニタ３５を見て、実際の背景カーテンの展開長さを確認しながら、背景カーテンの展開長さの調整を簡単に行うことができる。
【００７７】
また、このようにライブモニタ３５を確認しながら背景カーテンの展開長さの設定を行えることで、例えば、図１６に示すように、ユーザ７のズボンの色と、背景カーテン１８ａの色とが同じで、図中のＤに示す部分だけ背景カーテン１８ａとズボンとが重なる場合、ユーザ７は、ライブモニタ３５を確認しながら背景カーテン１８ａの展開長さの調整を行うことができるので、図１７に示すように、背景カーテン１８ａとズボンとが重ならないように、背景カーテン１８ａの展開長さの微調整することができる。
【００７８】
以上のように、複数の背景カーテン１８ａ〜１８ｃを同時に使用することができ、かつ、ユーザ７がそれぞれの背景カーテン１８ａ〜１８ｃの展開長さを個別に設定できることで、ユーザ７は、使用するそれぞれの背景カーテン１８ａ〜１８ｃの展開長さを、好みに応じて任意の値に設定することができる。
【００７９】
また、実施の形態２において、例えば最もカメラ２側の背景カーテン１８ａが赤色の場合であっても、この背景カーテン１８ａの色に青色の画像を合成することで、仕上がりの写真において最もカメラ２側の背景カーテン１８ａが青色になるようにしてもよい。
【００８０】
さらに、実施の形態２においては、撮影ブース６の上部から背景カーテン１８ａ〜１８ｃを垂下させて、背景を複数色に区切っているので、例えば特許文献３に開示されているような、背景色（背景柄）を撮影ブース６の幅方向に区切る場合に比べて複雑な機構を備える必要が無く、部品点数を削減して、低コスト化を図ることができる。
【００８１】
なお、上記においては、背景カーテンが３種類の場合を説明したが、３種類よりも多い種類の背景カーテンを用いた場合でも、上記の実施の形態１および２と同様の作用効果を得ることができる。
【００８２】
（実施の形態３）
次に、本発明の写真撮影装置１の実施の形態３を説明する。実施の形態１では、背景カーテン１８ａ〜１８ｃのうちの何れか一つが撮影ブース６の壁面に沿って垂下する場合を説明したが、実施の形態３においては、複数の背景カーテン１８ａ〜１８ｃを同時に展開させて使用することができ、かつ、ユーザ７が、それぞれの背景カーテン１８ａ〜１８ｃの展開長さを個別に設定できる場合を説明する。なお、実施の形態３において説明する写真撮影装置は、実施の形態１および実施の形態２で説明した写真撮影装置１と外観構成および機能構成が同様であるため、実施の形態１で説明したものと同様のものには、同符号を付すことで詳細な説明は省略する。
【００８３】
実施の形態３の写真撮影装置１において、ユーザ７が撮影プレイ中に、それぞれの背景カーテン１８ａ〜１８ｃの展開長さを個別に設定することについて、図１８を参照しながら説明する。なお、図１８に示すフローにおいて、Ｓ１１〜Ｓ１７の処理は実施の形態２と同様であるので説明は省略し、以下では、図１８に示すＳ１７以降の処理を説明する。
【００８４】
図１８に示すように、Ｓ１７においてコインロックがなされると、撮影プレイが開始され、タッチパネルディスプレイ１１に、図１９に示すような、ユーザ７の背景を選択させる画面を表示する（Ｓ２０１）。
【００８５】
そして、所定の背景パターンが選択されたかを判断し（Ｓ２０２）、所定の背景パターンが選択された場合（Ｓ２０２でＹＥＳ）には、選択された背景パターンにおいて用いられる背景カーテン１８ａ〜１８ｃの設定画面を表示する（Ｓ２０３）。
【００８６】
例えば、図１９に示した背景パターンのうち、「３枚重ねて使う！」の欄に表示された背景パターンが選択された場合には、背景カーテン１８ａ〜１８ｃの設定画面として、図２０に示すような画面が表示される。この設定画面において、それぞれの背景カーテン１８ａ〜１８ｃの下端部にはカーソル４０ａ〜４０ｃが表示され、また、それぞれの背景カーテン１８ａ〜１８ｃの展開長さを加減するための上下位置調整ボタン４１ａ〜４１ｃが表示されており、タッチパネルディスプレイ１１は、上下位置調整ボタン４１ａ〜４１により入力された加減指示を受け付ける受付手段となる。なお、この設定操作に関する詳細は後述する。
【００８７】
説明を図１８に戻して、Ｓ２０３の処理を終えると、上下位置変更ボタン４１ａ〜４１ｃが押されたかを判断し（Ｓ２０４）、押されていない場合（Ｓ２０４でＮＯ）には、「設定を終了する」ボタンが押されたかを判断する（Ｓ２０５）。Ｓ２０５において、「設定を終了する」ボタンが押されていないと判断した場合（Ｓ２０５でＮＯ）には、処理をＳ２０４に戻し、「設定を終了する」ボタンが押されたと判断した場合（Ｓ２０５でＹＥＳ）には、背景カーテン１８ａ〜１８ｃの展開長さの設定に関する処理を終え、次に、Ｓ１８以降の処理を行う。なお、Ｓ１８以降の処理については実施の形態１および実施の形態２と同様であるので、説明は省略する。
【００８８】
Ｓ２０４において、上下位置変更ボタン４１ａ〜４１ｃが押されたと判断した場合（Ｓ２０４でＹＥＳ）には、押されたボタンに対応する背景カーテン１８ａ〜１８ｃの展開長さを調整すべく、制御基板２４に制御信号を送り（Ｓ２０６）、撮影用コンピュータ装置２３ａが備える展開長さ調整手段としての機能により、前記押されたボタンに対応する背景カーテン１８ａ〜１８ｃの巻回軸１９ａ〜１９ｃに取り付けられている駆動モータ１４の回転を制御し、この巻回軸１９ａ〜１９ｃを正方向あるいは逆方向に回転させることで、背景カーテン１８ａ〜１８ｃの展開長さをリアルタイムで調整する。そして、処理をＳ２０４に戻す。
【００８９】
なお、図２０に示す設定画面において、例えば、上下位置調整ボタン４１ａが押された場合には、この上下位置調整ボタン４１ａに対応する背景カーテン１８ａの下端部、この下端部を指し示すカーソル４０ａおよび上下位置調整ボタン４１ａはともに、入力された変更量に対応して、画面上で上下に移動する。このように、ユーザ７が行った背景カーテン１８ａ〜１８ｃの変更結果をリアルタイムで設定画面に表示することで、ユーザ７は、より簡単に背景カーテン１８ａ〜１８ｃの展開長さの変化を把握することができ、背景カーテン１８ａ〜１８ｃの展開長さの設定を円滑に行うことができる。
【００９０】
以上のように、複数の背景カーテン１８ａ〜１８ｃを同時に使用することができ、かつ、ユーザ７がそれぞれの背景カーテン１８ａ〜１８ｃの展開長さを個別に設定できることで、ユーザ７は、使用するそれぞれの背景カーテン１８ａ〜１８ｃの展開長さを、好みに応じて任意の値に設定することができる。
【００９１】
また、図１９に示したような、背景を選択させる画面を経由して、ユーザ７に対して好みの配色を選択させ、さらに、図２０に示したような、背景カーテン１８ａ〜１８ｃの設定画面により、背景として使用する背景カーテン１８ａ〜１８ｃの配分を任意に変更することができるので、例えば、ユーザ７の服の色と背景カーテン１８ａ〜１８ｃの色とが同系色になることを回避することができ、クロマキー合成を好適に行えるようにすることができる。
【００９２】
なお、上記の実施の形態１〜実施の形態３では、ユーザに選択された背景カーテンがカーテンユニット１８から垂下される場合を説明したが、例えばあらかじめすべての背景カーテンを、撮影ブース６の下部まで展開させた状態で待機しておき、ユーザが好みの背景カーテンを選択したときには、選択されていない背景カーテンが巻き上げられてカーテンユニット１８内に収納されるような形態であってもよい。このような形態の場合、撮影用コンピュータ装置２３ａが有する展開長さ調整手段としての機能は、駆動モータ１４を介して、選択された背景カーテンを、所定の高さまで巻き上げて、設定されている展開長さに展開させればよく、これにより、上記の実施の形態１および実施の形態２と同様の作用効果を得ることができる。したがって、本発明の実施の形態は、ユーザに選択された背景カーテンがカーテンユニット１８から垂下される場合に限定されるものではない。
【図面の簡単な説明】
【００９３】
【図１】本発明の実施の形態の写真撮影装置の側面図である。
【図２】写真撮影装置におけるカーテンユニットの拡大図である。
【図３】写真撮影装置の機能構成を示すブロック図である。
【図４】実施の形態１における写真撮影装置の撮影側での処理を説明するフローチャートである。
【図５】図４に示すテストモードの処理を説明するフローチャートである。
【図６】テストモード時におけるメインメニュー画面の例を示す図である。
【図７】背景カーテン設定画面の例を示す図である。
【図８】図７に示した画面例とは異なる画面例を示す図である。
【図９】展開長さが設定された場合の写真撮影装置の側面図である。
【図１０】展開長さが設定された場合の撮影ブース内をカメラ側から見た図である。
【図１１】実施の形態２における写真撮影装置の撮影側での処理を説明するフローチャートである。
【図１２】背景色選択画面の例を示す図である。
【図１３】背景パターン選択画面の例を示す図である。
【図１４】撮影側の処理が行われている際に、撮影側筐体を撮影ブース内から見た図である。
【図１５】図１４におけるタッチパネルディスプレイを示す図である。
【図１６】背景カーテンの展開長さの設定の際にユーザおよび背景カーテンの画像を表示しているライブモニタを示す図である。
【図１７】背景カーテンの展開長さの設定の際にユーザおよび背景カーテンの画像を表示しているライブモニタを示す図である。
【図１８】実施の形態３における写真撮影装置の撮影側での処理を説明するフローチャートである。
【図１９】背景パターンを選択する際に表示される画面例を示す図である。
【図２０】選択された背景パターンにおける背景カーテンの展開長さを設定する際に表示される設定画面の例を示す図である。
【符号の説明】
【００９４】
２    カメラ
７    ユーザ
１８ａ〜１８ｃ  背景カーテン
【図１】
2007114439.tif 000003
【図２】
2007114439.tif 000004
【図３】
2007114439.tif 000005
【図４】
2007114439.tif 000006
【図５】
2007114439.tif 000007
【図６】
2007114439.tif 000008
【図７】
2007114439.tif 000009
【図８】
2007114439.tif 000010
【図９】
2007114439.tif 000011
【図１０】
2007114439.tif 000012
【図１１】
2007114439.tif 000013
【図１２】
2007114439.tif 000014
【図１３】
2007114439.tif 000015
【図１４】
2007114439.tif 000016
【図１５】
2007114439.tif 000017
【図１６】
2007114439.tif 000018
【図１７】
2007114439.tif 000019
【図１８】
2007114439.tif 000020
【図１９】
2007114439.tif 000021
【図２０】
2007114439.tif 000022